(57)【特許請求の範囲】
【請求項１】
スプレー本体の円筒ハウジングに、着脱具にて嘴管を着脱自在に嵌合し、この嘴管の先端から薬液を圧搾空気で噴霧するようにした医用スプレー装置において、
前記円筒ハウジングに、前進と後退と回動可能に係脱筒体を嵌合し、前記嘴管の前記円筒ハウジングへの嵌合時に前記係脱筒体を前進させて前記嘴管を位置保持する嘴管係止手段と、
前記係脱筒体を後退したとき、前記嘴管係止手段を解除して前記嘴管を前記円筒ハウジングから突出させる嘴管押し出し手段を有し、
前記スプレー本体の外側面に設けたロック用突起に臨ませて前記係脱筒体の端縁部に、前記係脱筒体の後退を可能にするためのロック解除凹部を形成するとともに、前記係脱筒体を前進位置で回動して位置保持するためのロック係止面とを形成したことを特徴とする医用スプレー装置。
【請求項２】
スプレー本体の円筒ハウジングに、着脱具にて嘴管を着脱自在に嵌合し、この嘴管の先端から薬液を圧搾空気で噴霧するようにした医用スプレー装置において、
前記円筒ハウジングに、前進と後退と回動自在に係脱筒体を嵌合し、前記円筒ハウジングと前記係脱筒体の間に設けられ、前記嘴管の前記円筒ハウジングへの嵌合時にこの嘴管に係合して前記嘴管の嵌合位置を保持する係止ボールと、前記嘴管の前記円筒ハウジングへの嵌合時に前記係脱筒体を前進させて前記係止ボールの位置保持するコイルばねとからなる嘴管係止手段と、
前記コイルばねに抗して前記係脱筒体を後退したとき、前記係止ボールの係合を解除し前記嘴管を前記円筒ハウジングから突出させる押し出しコイルばねからなる嘴管押し出し手段を有し、
前記スプレー本体の外側面にロック用突起を設け、このロック用突起に臨ませて前記係脱筒体の前記ロック用突起側の端縁部に、前記ロック用突起との間に前記係脱筒体の進退動をするための隙間をもってロック解除凹部を形成するとともに、このロック解除凹部に連続し、前記係脱筒体を前記ロック用突起と略接して回動するためのロック係止面とを形成したことを特徴とする医用スプレー装置。
【請求項３】
前記係脱筒体の端縁部に、前記ロック解除凹部とロック係止面に加えて、前記ロック係止面と連続し前記ロック解除凹部と反対面に前記スプレー本体の軸方向に延びたロック保持面と、前記ロック解除凹部と連続し前記ロック係止面と反対面に前記スプレー本体の軸方向に延びたロック解除面とを形成したことを特徴とする請求項２記載の医用スプレー装置。
【請求項４】
前記係脱筒体と円筒ハウジングの間にロック用コイルばねを介在し、このロック用コイルばねの一端を前記係脱筒体に、他端を前記円筒ハウジングに固着して前記係脱筒体に回動力を付勢したことを特徴とする請求項１、２又は３記載の医用スプレー装置。
【請求項５】
前記コイルばねは、このコイルばねの一端を前記係脱筒体に、他端を前記円筒ハウジングに固着して前記係脱筒体に回動力を付勢したことを特徴とする請求項２又は３記載の医用スプレー装置。
【発明の詳細な説明】
【技術分野】
【０００１】
本発明は、耳、鼻、咽喉などの狭い患部に嘴管を用いて薬液や消毒液などを噴霧するのに用いられ、嘴管部分が突然スプレー本体から飛び出したりしないような安全性を備えた医用スプレー装置に関するものである。
【背景技術】
【０００２】
この種の医用スプレー装置は、図５に示すように、スプレー本体１０の下端に薬液びん１１を着脱自在に嵌合し、スプレー本体１０の前端に嘴管１８を着脱自在に取り付け、グリップ兼用の薬液びん１１を片手で握り、嘴管１８の先端噴霧口２０を耳、鼻、咽喉などの患部に臨ませ、親指で押釦１３を押す。すると、バルブ１２が開いて、エアチューブ１４から圧搾空気が薬液びん１１と嘴管１８へ送り込まれ、薬液びん１１内の薬液１７が薬液チューブ１６を通って薬液管１９へ送られ、この薬液管１９の先端部では、嘴管１８からの空気によって薬液１７が霧状になって噴霧口２０から患部へ噴霧するものである。
【０００３】
本出願人は、術者が嘴管に直接手を触れることなくスプレー本体に嘴管を装着でき、使用後にも嘴管に直接手を触れることなく回収することのできる医用スプレー装置をすでに提案した（特許文献１）。
【０００４】
特許文献１に示される医用スプレー装置は、図３及び図４に示される。図３の右側に示される嘴管１８は、予め消毒された状態で複数本を、嘴管立て３９の差し込み孔４０に垂直に差し込んでおく。
また、スプレー本体１０も同様に消毒され、その嘴管連結部には、着脱具６０が予め固定的に取り付けられている。
スプレー本体１０から嘴管１８が分離した状態では、嘴管１８内では、押し込みコイルばね７６により薬液管１９、空気管４８及び係合管７９が一体となって外方に付勢され、外管４９とストッパ５６が接しており、係合管７９が挿入端部７３からやや突出している。
図３の左側に示されるスプレー本体１０側の着脱具６０において、嘴管押し出し手段としての押し出しコイルばね７２によってばね受け管７０、Ｏリング７１、ボール受け管６９が円筒ハウジング６１とボール受け管６９の段差が係止する位置まで押し出されてボール落し孔６７を塞いでいるので、係止ボール６６は移動が規制され、また、係脱筒体６３は、係合切り欠き６５により係止ボール６６に係止しているので、コイルばね６４にて押されても外方へ突出することはない。
【０００５】
この状態で、スプレー本体１０を握り、着脱具６０における円筒ハウジング６１の嵌合孔６２に、嘴管１８の外管４９の挿入端部７３を嵌合して押し込む。すると、挿入端部７３の先端部がボール受け管６９の内側に挿入され、さらに挿入端部７３の先端部がばね受け管７０の内側の段部に当接するとともに、ボール受け管６９の先端部と突起部７５が当接する。さらにスプレー本体１０を押し出しコイルばね７２に抗して押し込むと、ボール落し孔６７が突起部７５を超えてボール受け凹部７４に至り、係止ボール６６が移動可能となる。すると、係脱筒体６３がコイルばね６４により付勢されて突出するので、係合切り欠き６５の内側の斜面で係止ボール６６が押し込まれてボール受け凹部７４に係合し、さらに係脱筒体６３が突出してその内壁面で係止ボール６６の移動を規制する。前記係止ボール６６とコイルばね６４とにより嘴管係止手段が構成されている。
このとき係合管７９の先端部が支持円板３７における薬液管差し込み孔３２の他端部に嵌合し、スプレー本体１０の薬液チューブ１６と嘴管１８の薬液管１９が連結される。この状態が図４に示される。
このようにして、嘴管１８に直接手を触れることなくスプレー本体１０に着脱具６０で装着して、患者毎に薬液や消毒液が噴霧されて処置がなされる。
【０００６】
噴霧等の処理の終了後は、スプレー本体１０を握ったまま嘴管１８を回収ケース８６の回収孔８７に差し込み、着脱具６０の係脱筒体６３を指で挟んでコイルばね６４に抗して手前に引く。又は係脱筒体６３を回収ケース８６の回収孔８７に当ててスプレー本体１０をコイルばね６４に抗して強く押し込む。すると、係脱筒体６３が手前に移動して係合切り欠き６５が係止ボール６６の位置と一致し、押し出しコイルばね７２によりばね受け管７０、Ｏリング７１、ボール受け管６９が押し出され、係止ボール６６は外方へ移動してボール受け凹部７４との係合が外れる。すると、押し出しコイルばね７２の力により外管４９が円筒ハウジング６１の嵌合孔６２から突出してその勢いで薬液管１９が支持円板３７から抜け出すとともに、押し込みコイルばね７６の力で外管４９は、ストッパ５６に密着して停止する。このようにして嘴管１８が回収ケース８６に収納される。
【先行技術文献】
【特許文献】
【０００７】
【特許文献１】特開２０１３−１０６８１６号公報。
【発明の概要】
【発明が解決しようとする課題】
【０００８】
このような構成における従来の医用スプレー装置には、以下のような若干の問題点があった。
（１）スプレー本体１０に嘴管１８を嵌合したときに、係止ボール６６がボール受け凹部７４に完全に係合せず、突起部７５に乗りあがっているような不完全な嵌合状態では、術者の処置の最中に、嘴管１８が押し出しコイルバネ７２により飛び出す恐れがあった。
（２）スプレー本体１０の係止ボール６６が嘴管１８のボール受け凹部７４に完全に係合している状態でも、スプレー操作中に握っている指が係脱筒体６３を誤って引き込むようなことがあると、係止ボール６６は外方へ移動してボール受け凹部７４との係合が外れ押し出しコイルばね７２により薬液管１９がスプレー本体１０から抜け出す恐れがあった。
【０００９】
本発明は、このような問題点を解決するために、医用スプレー装置の処置中に嘴管部分が突然スプレー本体から飛び出すことのないような安全性を備えたものを提供しようとするものである。
【課題を解決するための手段】
【００１０】
本発明の医用スプレー装置は、
スプレー本体１０の円筒ハウジング６１に、着脱具６０にて嘴管１８を着脱自在に嵌合し、この嘴管１８の先端から薬液を圧搾空気で噴霧するようにした医用スプレー装置において、
前記円筒ハウジング６１に、前進と後退と回動可能に係脱筒体８０を嵌合し、前記嘴管１８の前記円筒ハウジング６１への嵌合時に前記係脱筒体８０を前進させて前記嘴管１８を位置保持する嘴管係止手段と、
前記係脱筒体８０を後退したとき、前記嘴管係止手段を解除して前記嘴管１８を前記円筒ハウジング６１から突出させる嘴管押し出し手段を有し、
前記スプレー本体１０の外側面に設けたロック用突起８１に臨ませて前記係脱筒体８０の端縁部に、前記係脱筒体８０の後退を可能にするためのロック解除凹部８２を形成するとともに、前記係脱筒体８０を前進位置で回動して位置保持するためのロック係止面８３とを形成したことを特徴とする。
【００１１】
前記円筒ハウジング６１に、前進と後退に加えて回動自在に係脱筒体８０を嵌合し、嘴管係止手段は、前記円筒ハウジング６１と前記係脱筒体８０の間に設けられ、前記嘴管１８の前記円筒ハウジング６１への嵌合時にこの嘴管１８に係合して前記嘴管１８の嵌合位置を保持する係止ボール６６と、前記嘴管１８の前記円筒ハウジング６１への嵌合時に前記係脱筒体８０を前進させて前記係止ボール６６の位置保持するコイルばね６４とからなるものとし、
嘴管押し出し手段は、前記コイルばね６４に抗して前記係脱筒体８０を後退したとき、前記係止ボール６６の係合を解除し前記嘴管１８を前記円筒ハウジング６１から突出させる押し出しコイルばね７２からなるものとし、
前記スプレー本体１０の外側面にロック用突起８１を設け、このロック用突起８１に臨ませて前記係脱筒体８０の前記ロック用突起８１側の端縁部に、前記ロック用突起８１との間に前記係脱筒体８０の進退動をするための隙間をもってロック解除凹部８２を形成するとともに、このロック解除凹部８２に連続し、前記係脱筒体８０を前記ロック用突起８１と略接して回動するためのロック係止面８３とを形成したことを特徴とする。
【００１２】
前記係脱筒体８０の端縁部に、前記ロック解除凹部８２とロック係止面８３に加えて、前記ロック係止面８３と連続し前記ロック解除凹部８２と反対面に前記スプレー本体１０の軸方向に延びたロック保持面８４と、前記ロック解除凹部８２と連続し前記ロック係止面８３と反対面に前記スプレー本体１０の軸方向に延びたロック解除面８５とを形成したことを特徴とする。
【００１３】
前記係脱筒体８０と円筒ハウジング６１の間にロック用コイルばね８８を介在し、このロック用コイルばね８８の一端を前記係脱筒体８０に、他端を前記円筒ハウジング６１に固着して前記係脱筒体８０に回動力を付勢することにより、前記係脱筒体８０を回動して自動的にロックするようにしたことを特徴とする。
【００１４】
前記コイルばね６４は、このコイルばね６４の一端を前記係脱筒体８０に、他端を前記円筒ハウジング６１に固着して前記係脱筒体８０に回動力を付勢することにより、嘴管係止手段としてのコイルばね６４をロック手段として兼用したことを特徴とする。
【発明の効果】
【００１５】
請求項１記載の発明によれば、
スプレー本体の円筒ハウジングに、着脱具にて嘴管を着脱自在に嵌合し、この嘴管の先端から薬液を圧搾空気で噴霧するようにした医用スプレー装置において、
前記円筒ハウジングに、前進と後退と回動可能に係脱筒体を嵌合し、前記嘴管の前記円筒ハウジングへの嵌合時に前記係脱筒体を前進させて前記嘴管を位置保持する嘴管係止手段と、
前記係脱筒体を後退したとき、前記嘴管係止手段を解除して前記嘴管を前記円筒ハウジングから突出させる嘴管押し出し手段を有し、
前記スプレー本体の外側面に設けたロック用突起に臨ませて前記係脱筒体の端縁部に、前記係脱筒体の後退を可能にするためのロック解除凹部を形成するとともに、前記係脱筒体を前進位置で回動して位置保持するためのロック係止面とを形成したので、スプレー本体の円筒ハウジングに嘴管を嵌合した状態で、係脱筒体の前進と後退ができないので、薬液管がスプレー本体から抜け出すことがない。また、係脱筒体の前進位置で回動可能であることにより、確実にロックされていることを確認できる。
【００１６】
請求項２記載の発明によれば、
スプレー本体の円筒ハウジングに、着脱具にて嘴管を着脱自在に嵌合し、この嘴管の先端から薬液を圧搾空気で噴霧するようにした医用スプレー装置において、
前記円筒ハウジングに、前進と後退と回動自在に係脱筒体を嵌合し、前記円筒ハウジングと前記係脱筒体の間に設けられ、前記嘴管の前記円筒ハウジングへの嵌合時にこの嘴管に係合して前記嘴管の嵌合位置を保持する係止ボールと、前記嘴管の前記円筒ハウジングへの嵌合時に前記係脱筒体を前進させて前記係止ボールの位置保持するコイルばねとからなる嘴管係止手段と、
前記コイルばねに抗して前記係脱筒体を後退したとき、前記係止ボールの係合を解除し前記嘴管を前記円筒ハウジングから突出させる押し出しコイルばねからなる嘴管押し出し手段を有し、
前記スプレー本体の外側面にロック用突起を設け、このロック用突起に臨ませて前記係脱筒体の前記ロック用突起側の端縁部に、前記ロック用突起との間に前記係脱筒体の進退動をするための隙間をもってロック解除凹部を形成するとともに、このロック解除凹部に連続し、前記係脱筒体を前記ロック用突起と略接して回動するためのロック係止面とを形成したので、前進した係脱筒体をロック解除凹部の位置から連続するロック係止面にロック用突起を円滑に回動して嘴管の突出をロックすることができる。
【００１７】
請求項３記載の発明によれば、
前記係脱筒体の端縁部に、前記ロック解除凹部とロック係止面に加えて、前記ロック係止面と連続し前記ロック解除凹部と反対面に前記スプレー本体の軸方向に延びたロック保持面と、前記ロック解除凹部と連続し前記ロック係止面と反対面に前記スプレー本体の軸方向に延びたロック解除面とを形成したので、ロック時には、ロック用突起がロック保持面に接するまで回動することにより、ロックが確実になり、また、ロックの解除時には、ロック用突起８１がロック解除面に接するまで回動することにより、ロックが確実に解除できる。
【００１８】
請求項４記載の発明によれば、
前記係脱筒体と円筒ハウジングの間にロック用コイルばねを介在し、このロック用コイルばねの一端を前記係脱筒体に、他端を前記円筒ハウジングに固着して前記係脱筒体に回動力を付勢したので、嘴管を嵌合して係脱筒体を前進させれば、係脱筒体がロック用コイルばねにより自動的に回動してロックすることができる。また、ロックの解除時に係脱筒体をロック用コイルばねに抗して回動して嘴管を抜き取れば、係脱筒体に回動力が付勢されて次の操作に待機できる。
【００１９】
請求項５記載の発明によれば、
前記コイルばねは、このコイルばねの一端を前記係脱筒体に、他端を前記円筒ハウジングに固着して前記係脱筒体に回動力を付勢したので、嘴管係止手段としてのコイルばねを係脱筒体に回動力を付勢する手段として利用でき、構成が簡単になる。
【図面の簡単な説明】
【００２０】
【図１】本発明による医用スプレー装置の一実施例を示すもので、（ａ）は、嘴管立て３９に差してある嘴管１８をスプレー本体１０に嵌合する前の一部切り欠いた分解正面図、（ｂ−１）は、嘴管１８をスプレー本体１０に嵌合した状態の一部切り欠いた正面図、（ｂ−２）は、（ｂ−１）の左側面図、（ｃ）は、嘴管１８をスプレー本体１０に嵌合し、ロックした状態の正面図、（ｄ）は、嘴管１８をスプレー本体１０に嵌合し、ロックを解除した状態の正面図である。
【図２】本発明の他の実施例を示す断面図である。
【図３】本出願人が先に提案した医用スプレー装置の嘴管１８を嵌合する前の断面図である。
【図４】図３における医用スプレー装置の嘴管１８を嵌合した後の断面図である。
【図５】従来の医用スプレー装置の正面図である。
【発明を実施するための形態】
【００２１】
本発明は、
スプレー本体１０の円筒ハウジング６１に、着脱具６０にて嘴管１８を着脱自在に嵌合し、この嘴管１８の先端から薬液を圧搾空気で噴霧するようにした医用スプレー装置において、
前記円筒ハウジング６１に、前進と後退と回動可能に係脱筒体８０を嵌合し、前記嘴管１８の前記円筒ハウジング６１への嵌合時に前記係脱筒体８０を前進させて前記嘴管１８を位置保持する嘴管係止手段と、
前記係脱筒体８０を後退したとき、前記嘴管係止手段を解除して前記嘴管１８を前記円筒ハウジング６１から突出させる嘴管押し出し手段を有し、
前記スプレー本体１０の外側面に設けたロック用突起８１に臨ませて前記係脱筒体８０の端縁部に、前記係脱筒体８０の後退を可能にするためのロック解除凹部８２を形成するとともに、前記係脱筒体８０を前進位置で回動して位置保持するためのロック係止面８３とを形成する。
【００２２】
より具体的には、
前記円筒ハウジング６１に、前進と後退と回動自在に係脱筒体８０を嵌合し、前記円筒ハウジング６１と前記係脱筒体８０の間に設けられ、前記嘴管１８の前記円筒ハウジング６１への嵌合時にこの嘴管１８に係合して前記嘴管１８の嵌合位置を保持する係止ボール６６と、前記嘴管１８の前記円筒ハウジング６１への嵌合時に前記係脱筒体８０を前進させて前記係止ボール６６の位置保持するコイルばね６４とからなる嘴管係止手段と、
前記コイルばね６４に抗して前記係脱筒体８０を後退したとき、前記係止ボール６６の係合を解除し前記嘴管１８を前記円筒ハウジング６１から突出させる押し出しコイルばね７２からなる嘴管押し出し手段を有し、
前記スプレー本体１０の外側面にロック用突起８１を設け、このロック用突起８１に臨ませて前記係脱筒体８０の前記ロック用突起８１側の端縁部に、前記ロック用突起８１との間に前記係脱筒体８０の進退動をするための隙間をもってロック解除凹部８２を形成するとともに、このロック解除凹部８２に連続し、前記係脱筒体８０を前記ロック用突起８１と略接して回動するためのロック係止面８３とを形成する。
【００２３】
前記係脱筒体８０の端縁部には、前記ロック解除凹部８２とロック係止面８３に加えて、前記ロック係止面８３と連続し前記ロック解除凹部８２と反対面に前記スプレー本体１０の軸方向に延びたロック保持面８４と、前記ロック解除凹部８２と連続し前記ロック係止面８３と反対面に前記スプレー本体１０の軸方向に延びたロック解除面８５とを形成する。
【００２４】
自動ロックとするために、前記係脱筒体８０と円筒ハウジング６１の間にロック用コイルばね８８を介在し、このロック用コイルばね８８の一端を前記係脱筒体８０に、他端を前記円筒ハウジング６１に固着して前記係脱筒体８０に回動力を付勢する。
【００２５】
前記コイルばね６４は、このコイルばね６４の一端を前記係脱筒体８０に、他端を前記円筒ハウジング６１に固着して前記係脱筒体８０に回動力を付勢する機能を兼用する。
【実施例１】
【００２６】
以下、本発明の実施例１を図面に基づき説明する。
本発明では、従来の着脱具６０における係脱筒体６３に代えて本発明特有の係脱筒体８０を設けたものである。
図１において、スプレー本体１０の外側上面に一体に、軸方向に、細長で、両端を半円弧状としたロック用突起８１を形成する。
前記着脱具６０の円筒ハウジング６１には、従来の係脱筒体６３より基部方向に長さの長い前記係脱筒体８０が前進と後退と回動可能に嵌め込まれている。この係脱筒体８０は、内側面の係合切欠き６５、コイルばね６４等の構成は前記図３及び図４に示す従来の係脱筒体６３と同様の構成であるが、基端部側の端縁部に形成した、ロック解除凹部８２とロック係止面８３とロック保持面８４とロック解除面８５が本発明特有の構成である。
【００２７】
具体的には、図１（ａ）に示すように、前記スプレー本体１０に嘴管１８が嵌めこまれていない状態、すなわち、前記係脱筒体８０が前記スプレー本体１０の基部側に引き戻されて、係脱筒体８０の内側先端部の係合切欠き６５に係止ボール６６が係止している状態のとき、前記ロック解除凹部８２は、前記ロック用突起８１の先端部に嵌合するように形成される。このロック解除凹部８２の一方側には、スプレー本体１０の軸方向に直交する方向に直線的なロック係止面８３が形成されている。また、このロック係止面８３の前記ロック解除凹部８２と反対の端部は、軸方向に立ち上げてロック保持面８４とする。前記ロック解除凹部８２の前記ロック係止面８３と反対面は軸方向に立ち上げてロック解除面８５とする。
前記ロック係止面８３の位置は、図１（ｃ）に示すように、スプレー本体１０に嘴管１８を嵌合して係脱筒体８０が突出した時に、ロック用突起８１の先端部が係止する位置に形成されている。
【００２８】
前記ロック係止面８３の長さは、図１（ｂ-２）に示すように、係脱筒体８０を図中左に回動してロック用突起８１の先端がロック係止面８３に係止した時、係脱筒体８０がロック解除凹部８２の位置に容易に戻らない長さとし、中心角θを４５〜９０程度とする。
【００２９】
以上のような構成における嘴管１８の着脱作用を説明する。
図１（ａ）において、スプレー本体１０の嵌合孔６２に嘴管１８を嵌合していない状態では、係脱筒体８０は、ロック用突起８１がロック解除凹部８２に嵌合して回動することができず、また、係止ボール６６が係合切欠き６５に係止しているので前進もできない状態にある。
この状態で、円筒ハウジング６１の嵌合孔６２に、嘴管立て３９の差し込み孔４０に差し込んだままで手を触れることなく消毒済みの嘴管１８の挿入端部７３を嵌合し、かつ、スプレー本体１０に強く押し込む。すると、先に説明したように、嘴管１８が円筒ハウジング６１に連結される。
【００３０】
図１（ｂ-１）に示すように、嘴管１８が円筒ハウジング６１に連結されると、係止ボール６６が嘴管１８のボール受け凹部７４に嵌合し、コイルばね６４により係脱筒体８０が突出して、ロック用突起８１の先端部とロック解除凹部８２の間に隙間ができる。
【００３１】
図１（ｃ）に示すように、ロック用突起８１の先端部とロック解除凹部８２の間に隙間ができた状態で術者は係脱筒体８０を指でつまんで図中左方向に回動する。すると、ロック用突起８１の先端部がロック係止面８３を摺動し、ロック保持面８４に接触して停止する。
この状態では、係脱筒体８０をスプレー本体１０の基部方向に引き込むことができないので、係脱筒体６３を誤って引き込むようなことができず、係止ボール６６がボール受け凹部７４から外れることがないので嘴管１８がスプレー本体１０から抜け出す恐れがなく、安全に薬液噴射等の処置ができる。
また、ロック用突起８１の先端部がロック係止面８３を摺動しつつ係脱筒体８０を図中左方向に回動できるということは、係止ボール６６が突起部７５に乗りあがっておらず、ボール受け凹部７４に完全に嵌合している状態であることがわかる。
【００３２】
薬液噴射等の処置が完了して嘴管１８をスプレー本体１０から抜き取るときには、図１（ｄ）に示すように、係脱筒体８０を指でつまんでロック用突起８１の先端部をロック解除面８５に接触するまで図中右方向に回動し、ロック用突起８１の先端部とロック解除凹部８２の間に隙間ができた状態で回収ケース８６の回収孔８７に係脱筒体８０の周縁部分を押し付ける。又は、係脱筒体８０を基部方向に引き込む。すると、嘴管１８が押し出しコイルばね７２で押し出されて、係止ボール６６がボール受け凹部７４から係合切欠き６５に移動して嘴管１８の係止状態が解除されるので、押し出しコイルばね７２で嘴管１８が回収ケース８６に飛び出して回収され、図１（ａ）の状態に戻る。
【実施例２】
【００３３】
前記実施例では、スプレー本体１０に嘴管１８を嵌合したのち、係脱筒体８０をロックするのに、係脱筒体８０を指でつまんで左方向に回動しロック用突起８１の先端部をロック係止面８３に係止するようにした。
しかし、この例に限られるものではなく、スプレー本体１０に嘴管１８を嵌合すると、係脱筒体８０を自動的にロックする構成例を図２に基づき説明する。
【００３４】
前記円筒ハウジング６１の外周とロック用突起８１の内周の間に、ばね収納隙間８９を形成して、ロック用コイルばね８８を収納し、このロック用コイルばね８８の一端部８８ａを係脱筒体８０に固定し、他端部８８ｂを円筒ハウジング６１に固定する。そして、このロック用コイルばね８８に、前記ロック係止面８３の角度θより大きな角度αだけ予め図中左方向に戻るようなねじりの力を付勢しておく。このとき、前記ロック用コイルばね８８は、係脱筒体８０の進出と後退の動作に不具合を生じないように巻き付け回数とばね収納隙間８９の軸方向の長さを設定することが必要である。
【００３５】
このような構成において、図１（ｂ-１）のように、スプレー本体１０の嵌合孔６２に嘴管１８を嵌合すると、係止ボール６６の係止状態が解除され、コイルばね６４により係脱筒体８０が突出するとともに、図１（ｃ）のように、係脱筒体８０は、ロック用コイルばね８８によりロック用突起８１がロック保持面８４に接するまで左方向に回動してロックされる。
ロックを解除するには、ロック用コイルばね８８に抗して係脱筒体８０を図１（ｄ）の位置に戻して係脱筒体８０を引き込むことで嘴管１８を外すことができる。
【００３６】
このロック用コイルばね８８は、新たに設けることなく、押し出し用のコイルばね６４を兼用することもできる。この場合には、コイルばね６４の一端部を係脱筒体８０に、他端部を円筒ハウジング６１に固定する。また、係脱筒体８０の進出と後退の動作に不具合を生じないように巻き付け回数を設定することが必要である。
【符号の説明】
【００３７】
１０…スプレー本体、１１…薬液びん、１２…バルブ、１３…押釦、１４…エアチューブ、１５…嘴管連結部、１６…薬液チューブ、１７…薬液、１８…嘴管、１９…薬液管、２０…噴霧口、２１…ねじ部、２２…Ｏリング、２９…コイルばね、３０…差し込み環、３１…空気孔、３２…薬液管差し込み孔、３３…薬液チューブ連結部、３４…空気孔、３６…空気取り込み溝、３７…支持円板、３８…着脱具、３９…嘴管立て、４０…差し込み孔、４２…ハウジング、４３…貫通孔、４４…押釦、４５…ばね部、４６…係止リング、４７…係止部、４８…空気管、４９…外管、５０…係止溝、５１…Ｏリング、５２…Ｏリング、５３…ワッシャ、５４…  係合部、５５…空気溝、５６…ストッパ、５７…内孔部、５８…凹部、５９…切り溝、６０…着脱具、６１…円筒ハウジング、６２…嵌合孔、６３…係脱筒体、６４…コイルばね、６５…係合切り欠き、６６…係止ボール、６７…ボール落し孔、６８…Ｏリング、６９…ボール受け管、７０…ばね受け管、７１…Ｏリング、７２…押し出しコイルばね、７３…挿入端部、７４…ボール受け凹部、７５…突起部、７６…押し込みコイルばね、７７…ねじ部、７８…Ｏリング、７９…係合管、８０…係脱筒体、８１…ロック用突起、８２…ロック解除凹部、８３…ロック係止面、８４…ロック保持面、８５…ロック解除面、８６…回収ケース、８７…回収孔、８８…ロック用コイルばね、８９…ばね収納隙間。
【要約】
【課題】医用スプレー装置の処置中に嘴管部分が突然スプレー本体から飛び出すことのないような安全性を備えたものを提供すること。
【解決手段】円筒ハウジング６１に、前進と後退と回動可能に係脱筒体８０を嵌合し、前記嘴管１８の前記円筒ハウジング６１への嵌合時に前記係脱筒体８０を前進させて前記嘴管１８を位置保持する嘴管係止手段と、前記係脱筒体８０を後退したとき、前記嘴管係止手段を解除して前記嘴管１８を前記円筒ハウジング６１から突出させる嘴管押し出し手段を有し、前記嘴管１８の外側面に設けたロック用突起８１に臨ませて前記係脱筒体８０の端縁部に、前記係脱筒体８０の後退を可能にするためのロック解除凹部８２を形成するとともに、前記係脱筒体８０の前進位置を回動して保持するためのロック係止面８３とを形成する。
【選択図】図１【図１】
0006698926.tif 000002
【図２】
0006698926.tif 000003
【図３】
0006698926.tif 000004
【図４】
0006698926.tif 000005
【図５】
0006698926.tif 000006